(57)【要約】【課題】既存の非接触型カードが内蔵された携帯端末であっても、リーダライタ装置が、当該携帯端末のカード識別子と端末情報とを対応付ける方法等を提供する。【解決手段】非接触型カード部を有する携帯端末と、非接触型リーダライタ部を有するリーダライタ装置とが、広域ネットワークを介して通信可能なシステムである。リーダライタ装置は、サーバ機能を有する。最初に、リーダライタ装置が、当該携帯端末の非接触型カード部のカード識別子を読み取る。次に、リーダライタ装置が、カード識別子に基づくアドレスを生成し、当該アドレスを携帯端末へ返信し、当該アドレスに対応したサイトページを生成し且つ公開する。次に、携帯端末が、広域ネットワークを介してリーダライタ装置へ、端末情報を含むページ取得要求を送信する。そして、リーダライタ装置が、当該携帯端末のカード識別子と、ページ取得要求に含まれる端末情報とを対応付ける。【選択図】図２
2014090347.tif 000002
【特許請求の範囲】
【請求項１】
非接触型カード部を有する携帯端末と、非接触型リーダライタ部を有するリーダライタ装置とが、広域ネットワークを介して通信可能なシステムにおける端末情報取得方法であって、
前記リーダライタ装置は、広域ネットワークに対するサーバ機能を有しており、
前記携帯端末が前記リーダライタ装置に近接することによって、前記リーダライタ装置が、当該携帯端末の非接触型カード部のカード識別子を読み取る第１のステップと、
前記リーダライタ装置が、前記カード識別子に基づくアドレスを生成し、当該アドレスを前記携帯端末へ返信し、当該アドレスに対応したサイトページを生成し且つ公開する第２のステップと、
前記携帯端末が、前記広域ネットワークを介して前記リーダライタ装置へ、端末情報を含むページ取得要求を送信する第３のステップと、
前記リーダライタ装置が、当該携帯端末のカード識別子と、前記ページ取得要求に含まれる前記端末情報とを対応付ける第４のステップと
を有することを特徴とする端末情報取得方法。
【請求項２】
前記リーダライタ装置が、前記ページ取得要求に対応したサイトページを、前記携帯端末へ応答する第５のステップを更に有することを特徴とする請求項１に記載の端末情報取得方法。
【請求項３】
前記リーダライタ装置は、サイネージ端末であり、
第５のステップにおけるサイトページは、当該サイネージ端末のディスプレイに表示される
ことを特徴とする請求項２に記載の端末情報取得方法。
【請求項４】
第２のステップについて、前記リーダライタ装置のサイトページのアドレスは、ＵＲＬ(Uniform Resource Locator)であって、当該リーダライタ装置のＷｅｂサーバ機能に割り当てられたドメインアドレスに、前記カード識別子を従属して記述されたものであることを特徴とする請求項１から３のいずれか１項に記載の端末情報取得方法。
【請求項５】
前記ページ取得要求は、ＨＴＴＰ(HyperText Transfer Protocol)におけるＧＥＴリクエストであり、
前記端末情報は、前記ＧＥＴリクエストのUser-Agentに含まれる機種情報である
ことを特徴とする請求項１から４のいずれか１項に記載の端末情報取得方法。
【請求項６】
前記システムについて、前記リーダライタ装置は、非接触型リーダライタ部を有するリーダライタクライアントと、広域ネットワークに接続されたリーダライタサーバとから構成されており、
第１のステップについて、前記リーダライタクライアントが、読み取ったカード識別子を前記リーダライタサーバへ送信し、
第２のステップについて、前記リーダライタサーバが、前記カード識別子に基づくアドレスを生成し、当該アドレスを前記リーダライタクライアントへ返信し、前記リーダライタクライアントが前記携帯端末へ返信し、前記リーダライタサーバが当該アドレスに対応したサイトページを生成し、
第３のステップについて、前記携帯端末が、前記広域ネットワークを介して、前記アドレスに基づくサイトページを公開する前記リーダライタサーバへ、端末情報を含むページ取得要求を送信する第３のステップと、
第４のステップについて、前記リーダライタサーバが、当該携帯端末のカード識別子と、前記ページ取得要求に含まれる前記端末情報とを対応付ける
ことを特徴とする請求項１から５のいずれか１項に記載の端末情報取得方法。
【請求項７】
非接触型カード部を有する携帯端末と広域ネットワークを介して通信可能であって、非接触型リーダライタ部を有するリーダライタ装置であって、
前記携帯端末が前記リーダライタ装置に近接することによって、当該携帯端末の非接触型カード部のカード識別子を読み取る識別子読取手段と、
前記カード識別子に基づくアドレスを生成するアドレス生成手段と、
当該アドレスを前記携帯端末へ返信するアドレス応答手段と、
広域ネットワークに対するサーバ機能として、当該アドレスに対応したサイトページを生成し且つ公開し、前記携帯端末から受信したページ取得要求に含まれる端末情報を取得するサイトページ公開手段と、
当該携帯端末のカード識別子と、前記ページ取得要求に含まれる前記端末情報とを対応付ける端末情報対応付け手段と
を有することを特徴とするリーダライタ装置。
【請求項８】
非接触型カード部を有する携帯端末と広域ネットワークを介して通信可能であって、非接触型リーダライタ部を有する装置に搭載されたコンピュータを機能させるプログラムであって、
前記携帯端末が前記リーダライタ装置に近接することによって、当該携帯端末の非接触型カード部のカード識別子を読み取る識別子読取手段と、
前記カード識別子に基づくアドレスを生成するアドレス生成手段と、
当該アドレスを前記携帯端末へ返信するアドレス応答手段と、
広域ネットワークに対するサーバ機能として、当該アドレスに対応したサイトページを生成し且つ公開し、前記携帯端末から受信したページ取得要求に含まれる端末情報を取得するサイトページ公開手段と、
当該携帯端末のカード識別子と、前記ページ取得要求に含まれる前記端末情報とを対応付ける端末情報対応付け手段と
してコンピュータを機能させることを特徴とするリーダライタ装置用のプログラム。
【請求項９】
非接触型カード部を有する携帯端末と広域ネットワークを介して通信可能であって、非接触型リーダライタ部を有するリーダライタクライアントと、広域ネットワークに接続されたリーダライタサーバとから構成されたシステムであって、
前記リーダライタクライアントは、
前記携帯端末が前記リーダライタ装置に近接することによって、当該携帯端末の非接触型カード部のカード識別子を読み取る識別子読取手段と、
読み取った前記カード識別子を前記リーダライタサーバへ送信する識別子送信手段と、
前記リーダライタサーバから受信した当該アドレスを、前記携帯端末へ返信するアドレス応答手段と
を有し、
前記リーダライタサーバは、
前記リーダライタクライアントから前記カード識別子を受信する識別子受信手段と、
前記カード識別子に基づくアドレスを生成するアドレス生成手段と、
前記アドレスを、前記リーダライタクライアントへ返信するアドレス返信手段と、
広域ネットワークに対するサーバ機能として、当該アドレスに対応したサイトページを生成し且つ公開すると共に、前記携帯端末から、ページ取得要求を受信した際に、当該ページ取得要求に含まれる前記端末情報を取得するサイトページ公開手段と、
当該携帯端末のカード識別子と、前記ページ取得要求に含まれる前記端末情報とを対応付ける端末情報対応付け手段と
を有することを特徴とするシステム。
【発明の詳細な説明】
【技術分野】
【０００１】
本発明は、非接触型カードのカードＩＤ(Identifier,識別子)を読み取るリーダライタ装置の技術に関する。
【背景技術】
【０００２】
近年、携帯電話機やスマートフォンのような携帯端末は、非接触型ＩＣカードモジュールを搭載したものが一般的となってきている。非接触型ＩＣカードモジュールは、近接する外部のリーダライタ装置と非接触で通信することできる。非接触型ＩＣカードモジュールの規格として、例えば「Felica（登録商標）」がある。この規格のカードは、外部のリーダライタ装置からキャリアを受信し、その電磁誘導によって電力の供給を受け、キャリア変調によってリーダライタ装置と通信する。これは、また、携帯端末に、アプリケーションをインストールすることによって、チケットやクーポンのような様々なセキュアデータを譲渡する機能を実現することができる。
【０００３】
一方で、他の従来技術として、ユーザによって視認されている表示装置に広告コンテンツを表示するデジタルサイネージの技術がある。デジタルサイネージとは、公共の場所に設置された、例えば平面ディスプレイやプロジェクタのような電子的なディスプレイに、画像情報（静止画像又は動画像）を表示する広告媒体技術をいう。デジタルサイネージは、ディスプレイに広告用の画像情報を表示させることによって、ポスターや看板のように用いることができる。
【０００４】
従来、サイネージ端末について、操作者の過去の操作経験に応じた画面を表示する技術がある（例えば特許文献１参照）。この技術によれば、操作者が、自ら所持するＩＣカードをサイネージ端末にタッチすることによって、サイネージ端末は、操作者ＩＤ毎にその操作者の操作ログを蓄積する。複数のサイネージ端末におけるこれら操作ログは、サイネージ管理サーバへ収集される。サイネージ管理サーバは、操作ログから、操作者毎の操作経験情報を作成し、それら操作経験情報を複数のサイネージ端末へ送信する。次回以降、サイネージ端末は、操作者によってＩＣカードがタッチされた際、その操作者の過去の操作経験に応じた画面を表示することができる。また、サイネージ端末に表示された画面（ページコンテンツ）は、携帯端末へも送信される。これによって、操作者は、サイネージ端末の前から離脱した後であっても、携帯端末のディスプレイによってその画面を閲覧することができる。
【０００５】
また、非接触型ＩＣチップを搭載した携帯端末を、パーソナルコンピュータに接続されたリーダライタにかざすことによって、パーソナルコンピュータ自体を、その携帯端末としてエミュレートさせる技術がある（例えば特許文献２参照）。この技術によれば、パーソナルコンピュータは、携帯端末に搭載された非接触型ＩＣチップから、端末固有情報（固有ＩＤ及び端末機種判別情報）及び紐付情報（当該携帯端末に紐付けられたパーソナルコンピュータの認証情報）を読み取る。そして、パーソナルコンピュータは、紐付情報によって認証した後、ディスプレイに、携帯端末のトップ画面（携帯端末のトップ画面を擬似的にエミュレートした画面）を表示する。トップ画面には、ユーザによって携帯端末用アプリケーションを選択できるようになっている。ユーザによって選択された携帯端末用アプリケーションは、当該携帯端末としてパーソナルコンピュータによって擬似的に実行される。
【先行技術文献】
【特許文献】
【０００６】
【特許文献１】特開２０１０−７９７７０号公報
【特許文献２】特開２０１０−９３７００号公報
【発明の概要】
【発明が解決しようとする課題】
【０００７】
特許文献１に記載の技術によれば、サイネージ端末に表示されたページコンテンツを、携帯端末で閲覧することができる。しかしながら、携帯端末の機種やディスプレイサイズによっては、そのページコンテンツを表示できない場合がある。携帯端末の機種によっては、表示可能なファイル形式が異なるためである。また、ディスプレイサイズによっては、表示可能な解像度も異なるためである。
【０００８】
また、特許文献２に記載の技術によれば、携帯端末の機種に関連したコンテンツ（携帯端末のエミュレート画面）を、パーソナルコンピュータに表示することができる。しかしながら、携帯端末に搭載されたＩＣチップに予め、端末固有情報として端末機種判別情報を書き込んでおく必要がある。一般に、非接触型ＩＣカードに、ユーザ自ら、特定情報を書き込むことはセキュリティの観点から難しい。
【０００９】
そこで、本発明は、既存の非接触型カードが内蔵された携帯端末であっても、リーダライタ装置が、当該携帯端末のカード識別子と端末情報とを対応付けることができる方法、装置及びプログラムを提供することを目的とする。
【課題を解決するための手段】
【００１０】
本発明によれば、非接触型カード部を有する携帯端末と、非接触型リーダライタ部を有するリーダライタ装置とが、広域ネットワークを介して通信可能なシステムにおける端末情報取得方法であって、
リーダライタ装置は、広域ネットワークに対するサーバ機能を有しており、
携帯端末がリーダライタ装置に近接することによって、リーダライタ装置が、当該携帯端末の非接触型カード部のカード識別子を読み取る第１のステップと、
リーダライタ装置が、カード識別子に基づくアドレスを生成し、当該アドレスを携帯端末へ返信し、当該アドレスに対応したサイトページを生成し且つ公開する第２のステップと、
携帯端末が、広域ネットワークを介してリーダライタ装置へ、端末情報を含むページ取得要求を送信する第３のステップと、
リーダライタ装置が、当該携帯端末のカード識別子と、ページ取得要求に含まれる端末情報とを対応付ける第４のステップと
を有することを特徴とする。
【００１１】
本発明の端末情報取得方法における他の実施形態によれば、
リーダライタ装置が、ページ取得要求に対応したサイトページを、携帯端末へ応答する第５のステップを更に有することも好ましい。
【００１２】
本発明の端末情報取得方法における他の実施形態によれば、
リーダライタ装置は、サイネージ端末であり、
第５のステップにおけるサイトページは、当該サイネージ端末のディスプレイに表示されることも好ましい。
【００１３】
本発明の端末情報取得方法における他の実施形態によれば、
第２のステップについて、リーダライタ装置のサイトページのアドレスは、ＵＲＬ(Uniform Resource Locator)であって、当該リーダライタ装置のＷｅｂサーバ機能に割り当てられたドメインアドレスに、カード識別子を従属して記述されたものであることも好ましい。
【００１４】
本発明の端末情報取得方法における他の実施形態によれば、
ページ取得要求は、ＨＴＴＰ(HyperText Transfer Protocol)におけるＧＥＴリクエストであり、
端末情報は、ＧＥＴリクエストのUser-Agentに含まれる機種情報である
ことも好ましい。
【００１５】
本発明の端末情報取得方法における他の実施形態によれば、
システムについて、リーダライタ装置は、非接触型リーダライタ部を有するリーダライタクライアントと、広域ネットワークに接続されたリーダライタサーバとから構成されており、
第１のステップについて、リーダライタクライアントが、読み取ったカード識別子をリーダライタサーバへ送信し、
第２のステップについて、リーダライタサーバが、カード識別子に基づくアドレスを生成し、当該アドレスをリーダライタクライアントへ返信し、リーダライタクライアントが携帯端末へ返信し、リーダライタサーバが当該アドレスに対応したサイトページを生成し、
第３のステップについて、携帯端末が、広域ネットワークを介して、アドレスに基づくサイトページを公開するリーダライタサーバへ、端末情報を含むページ取得要求を送信する第３のステップと、
第４のステップについて、リーダライタサーバが、当該携帯端末のカード識別子と、ページ取得要求に含まれる端末情報とを対応付けることも好ましい。
【００１６】
本発明によれば、非接触型カード部を有する携帯端末と広域ネットワークを介して通信可能であって、非接触型リーダライタ部を有するリーダライタ装置であって、
携帯端末がリーダライタ装置に近接することによって、当該携帯端末の非接触型カード部のカード識別子を読み取る識別子読取手段と、
カード識別子に基づくアドレスを生成するアドレス生成手段と、
当該アドレスを携帯端末へ返信するアドレス応答手段と、
広域ネットワークに対するサーバ機能として、当該アドレスに対応したサイトページを生成し且つ公開し、携帯端末から受信したページ取得要求に含まれる端末情報を取得するサイトページ公開手段と、
当該携帯端末のカード識別子と、ページ取得要求に含まれる端末情報とを対応付ける端末情報対応付け手段と
を有することを特徴とする。
【００１７】
本発明によれば、非接触型カード部を有する携帯端末と広域ネットワークを介して通信可能であって、非接触型リーダライタ部を有する装置に搭載されたコンピュータを機能させるプログラムであって、
携帯端末がリーダライタ装置に近接することによって、当該携帯端末の非接触型カード部のカード識別子を読み取る識別子読取手段と、
カード識別子に基づくアドレスを生成するアドレス生成手段と、
当該アドレスを携帯端末へ返信するアドレス応答手段と、
広域ネットワークに対するサーバ機能として、当該アドレスに対応したサイトページを生成し且つ公開し、携帯端末から受信したページ取得要求に含まれる端末情報を取得するサイトページ公開手段と、
当該携帯端末のカード識別子と、ページ取得要求に含まれる端末情報とを対応付ける端末情報対応付け手段と
してコンピュータを機能させることを特徴とする。
【００１８】
本発明によれば、非接触型カード部を有する携帯端末と広域ネットワークを介して通信可能であって、非接触型リーダライタ部を有するリーダライタクライアントと、広域ネットワークに接続されたリーダライタサーバとから構成されたシステムであって、
リーダライタクライアントは、
携帯端末がリーダライタ装置に近接することによって、当該携帯端末の非接触型カード部のカード識別子を読み取る識別子読取手段と、
読み取ったカード識別子をリーダライタサーバへ送信する識別子送信手段と、
リーダライタサーバから受信した当該アドレスを、携帯端末へ返信するアドレス応答手段と
を有し、
リーダライタサーバは、
リーダライタクライアントからカード識別子を受信する識別子受信手段と、
カード識別子に基づくアドレスを生成するアドレス生成手段と、
アドレスを、リーダライタクライアントへ返信するアドレス返信手段と、
広域ネットワークに対するサーバ機能として、当該アドレスに対応したサイトページを生成し且つ公開すると共に、携帯端末から、ページ取得要求を受信した際に、当該ページ取得要求に含まれる端末情報を取得するサイトページ公開手段と、
当該携帯端末のカード識別子と、ページ取得要求に含まれる端末情報とを対応付ける端末情報対応付け手段と
を有することを特徴とする。
【発明の効果】
【００１９】
本発明の方法、装置及びプログラムによれば、既存の非接触型カードが内蔵された携帯端末であっても、リーダライタ装置が、当該携帯端末のカード識別子と端末情報とを対応付けることができる。
【図面の簡単な説明】
【００２０】
【図１】本発明における第１のシステム構成図である。
【図２】図１のシステムにおける本発明の第１のシーケンス図である。
【図３】図１のシステムにおける本発明のリーダライタ装置の機能構成図である。
【図４】本発明における第２のシステム構成図である。
【図５】図４のシステムにおける本発明の第２のシーケンス図である。
【図６】図４のシステムにおける本発明のリーダライタクライアント及びリーダライタサーバの機能構成図である。
【発明を実施するための形態】
【００２１】
以下、本発明の実施の形態について、図面を用いて詳細に説明する。
【００２２】
図１は、本発明における第１のシステム構成図である。
【００２３】
図１によれば、非接触型カード部を有する携帯端末２と、非接触型リーダライタ部を有するリーダライタ装置１とがそれぞれ、アクセスネットワークを介してインターネットに接続している。携帯端末２と接続可能なアクセスネットワークとしては、携帯電話網や無線ＬＡＮであってもよい。ユーザが、携帯端末２をリーダライタ装置１に近接させることによって、携帯端末２の非接触型カード部と、リーダライタ装置１の非接触型リーダライタ部とが、近距離通信をすることができる。
【００２４】
また、図１によれば、リーダライタ装置１は、広い描画範囲のディスプレイを搭載したサイネージ端末であることも好ましい（以下では、リーダライタ装置は、サイネージ端末であるとして説明する）。携帯端末２を所持するユーザは、そのサイネージ端末１のディスプレイに描画された様々な情報を認識することができる。
【００２５】
更に、図１によれば、本発明のリーダライタ装置１は、インターネット（広域ネットワーク）に対するＷｅｂサーバ機能も有する。これによって、インターネットを介した携帯端末２からのページ取得要求（例えばＨＴＴＰ(HyperText Transfer Protocol)のＧＥＴリクエスト）に対して、ユーザに認識させるべき所定のサイトページを応答することができる。
【００２６】
図２は、図１のシステムにおける本発明の第１のシーケンス図である。
【００２７】
（Ｓ１）携帯端末２がリーダライタ装置１に近接することによって、リーダライタ装置１は、当該携帯端末２の非接触型カード部のカードＩＤ（識別子）を読み取る。カードＩＤは、例えばFelicaカードにおけるIDmである。IDmは、カード製造時にＩＣチップに記録された書換不可の固有番号であって、８バイト（１６桁）の数字である。また、IDm以外にも、Ｅｄｙ（登録商標）のサービスＩＤ番号であってもよいし、携帯電話機やスマートフォンのＰＩＮ(Personal Identification Number)番号であってもよい。一方で、リーダライタ装置１は、IDmを読み取ることができる例えばＮＦＣ(Near Field
Communication)対応のものであってもよい。
【００２８】
ここで、カードＩＤを読み取ったリーダライタ装置１は、登録データベースにアクセスすることによって、そのカードＩＤが既に登録されているか否かを確認するものであってもよい。既に、カードＩＤと端末情報とが対応付けられている場合、本発明のＳ２以降の処理シーケンスを実行する必要がない。
【００２９】
（Ｓ２１）リーダライタ装置１は、カードＩＤに基づくアドレスを生成する。ここで、アドレスは、例えばＵＲＬ(Uniform Resource Locator)であって、Ｗｅｂサイトページの場所を表すものである。また、アドレスは、例えば、当該リーダライタ装置１のＷｅｂサーバ機能に割り当てられたドメインアドレスに、カードＩＤを従属して記述されたものである。
http://www.reader-writer.com/rw1/358F79A127E963D8
リーダライタ装置のドメインアドレス：http://www.reader-writer.com/rw1/
カードＩＤ                        ：358F79A127E963D8
（Ｓ２２）リーダライタ装置１は、当該アドレスを携帯端末２へ返信する。これは、Ｓ２１からの非接触型通信の一連のシーケンスの中で実行される。例えばモバイルFelicaには、携帯端末及びリーダライタ装置と連携する「三者間通信」機能が提供されており、リーダライタから携帯端末のアプリケーションやブラウザを起動することもできる。
（Ｓ２３）リーダライタ装置１は、当該アドレスに対応したサイトページを生成し且つ公開する。そのサイトページのアドレスは、Ｓ２１によって生成されたものである。このサイトページは、カードＩＤと端末情報との対応付け情報の取得を、携帯端末２を操作するユーザに問い合わせるためのものであってもよい。サイトページは、インターネット上のＷｅｂサーバによって公開されたものとなる。
【００３０】
（Ｓ３）携帯端末２が、アクセスネットワーク及びインターネット（広域ネットワーク）を介して、リーダライタ装置１へ、端末情報を含むページ取得要求を送信する。ページ取得要求は、ＨＴＴＰにおけるＧＥＴリクエストである。
【００３１】
（Ｓ４）リーダライタ装置１は、受信したＧＥＴリクエストから、User-Agentに含まれる端末情報（例えば機種情報）を取得する。例えばAndroid（登録商標）のスマートフォンにおけるUser-Agentは、例えば以下のような記述がなされている。
Mozilla/5.0 (Linux; U; Android 2.3.3; ja-jp; INFOBAR A01 Build/S7142) 
この場合、機種名はINFOBAR A01であり、製造番号がS7142であり、Android OSのバージョン番号が2.3.3であることが認識できる。
【００３２】
そして、リーダライタ装置１は、当該携帯端末２のカードＩＤと、ページ取得要求に含まれる端末情報とを対応付ける。対応付けられたカードＩＤ及び端末情報は、登録データベースに登録されるものであってもよい。
カードＩＤ<->端末情報
【００３３】
（Ｓ５１）リーダライタ装置（サイネージ端末）１は、ページ取得要求に対応したサイトページを、ディスプレイに表示する。これによって、携帯端末２を所持するユーザは、サイネージ端末１のディスプレイによって、そのサイトページを認識することができる。
（Ｓ５２）また、リーダライタ装置１は、ページ取得要求に対応したサイトページを、アクセスネットワーク及びインターネット（広域ネットワーク）を介して、携帯端末２へ応答する。
（Ｓ５３）携帯端末２は、リーダライタ装置１から受信したページ応答に基づくサイトページを、ディスプレイに表示する。これによって、携帯端末２を所持するユーザは、そのディスプレイによって、そのサイトページを認識することができる。
【００３４】
図３は、図１のシステムにおける本発明のリーダライタ装置の機能構成図である。
【００３５】
図３によれば、リーダライタ装置１は、例えばサイネージ端末であって、非接触型リーダライタ部１０１と、ディスプレイ部１０２と、通信インタフェース部１０３とを有する。通信インタフェース部１０３は、アクセスネットワークを介してインターネットに接続する。また、図３によれば、リーダライタ装置１は、識別子読取部１１と、アドレス生成部１２と、アドレス応答部１３と、サイトページ公開部１４と、端末情報対応付け部１５とを有する。これら機能構成部は、リーダライタ装置に搭載されたコンピュータを機能させるプログラムを実行することによって実現される。
【００３６】
識別子読取部１１は、携帯端末２が当該リーダライタ装置１に近接することによって、当該携帯端末２の非接触型カード部のカードＩＤを読み取る（図２のＳ１参照）。カードＩＤは、アドレス生成部１２へ出力される。
【００３７】
アドレス生成部１２は、カードＩＤに基づくアドレスを生成する（図２のＳ２１参照）。生成したアドレスは、アドレス応答部１３及びサイトページ公開部１４へ出力される。
【００３８】
アドレス応答部１３は、当該アドレスを携帯端末２へ返信する（図２のＳ２２参照）。
【００３９】
サイトページ公開部１４は、広域ネットワークに対するサーバ機能として、当該アドレスに対応したサイトページを生成し且つ公開する（図２のＳ２３参照）。また、サイトページ公開部１４は、携帯端末２から受信したページ取得要求に含まれる端末情報を取得する。
【００４０】
端末情報対応付け部１５は、当該携帯端末のカードＩＤと、ページ取得要求に含まれる端末情報とを対応付ける（図２のＳ４参照）。
【００４１】
図４は、本発明における第２のシステム構成図である。
【００４２】
図４のシステムは、図１のシステムと比較して、リーダライタ装置１は、非接触型リーダライタ部を有するリーダライタクライアント１ａと、広域ネットワークに接続されたリーダライタサーバ１ｂとから構成されている。リーダライタクライアント１ａは、携帯端末２との間の非接触型通信を実行し、リーダライタサーバ１ｂは、携帯端末２に対してＷｅｂサーバ機能を提供する。また、複数のリーダライタクライアント１ａと、集中的に管理された１つのリーダライタサーバ１ｂとを有するシステムを構築することもできる。
【００４３】
図５は、図４のシステムにおける本発明の第２のシーケンス図である。
【００４４】
（Ｓ１）リーダライタクライアント１ａは、当該携帯端末２の非接触型カード部のカードＩＤ（識別子）を読み取り、そのカードＩＤをリーダライタサーバ１ｂへ送信する。
（Ｓ２１）リーダライタサーバ１ｂは、カードＩＤに基づくＵＲＬ（アドレス）を生成する。
（Ｓ２２）次に、リーダライタサーバ１ｂは、当該ＵＲＬをリーダライタクライアント１ａへ返信する。リーダライタクライアント１ａは、そのＵＲＬを携帯端末２へ返信する。
（Ｓ２３）次に、リーダライタサーバ１ｂは、当該ＵＲＬに対応したサイトページを生成する。
（Ｓ３）携帯端末２は、アクセスネットワーク及びインターネットを介して、ＵＲＬに基づくサイトページを公開するリーダライタサーバ１ｂへ、端末情報を含むページ取得要求を送信する。
（Ｓ４）リーダライタサーバ１ｂは、当該携帯端末のカードＩＤと、ページ取得要求に含まれる端末情報とを対応付ける。
（Ｓ５）そして、リーダライタサーバ１ｂは、インターネット及びアクセスネットワークを介して、サイトページを応答する。これによって、携帯端末２は、そのサイトページを表示することができる。
【００４５】
他の実施形態として、リーダライタクライアント１ａのディスプレイに、サイトページを表示することもできる。これを実現するために、「Comet」の技術を用いることも好ましい。「Comet」とは、サーバで発生したイベントを、クライアントからの要求メッセージを受信することなく、当該クライアントへ送信することができる技術をいう。具体的には、サーバは、クライアントからのリクエストに対して直ぐに応答することなく保留状態にしておく。当該サーバで、所定ページで何らかのイベントが発生したときに、そのページを応答する。これによって、サーバで発生したイベントを、直ぐにクライアントへ送信することができる。
【００４６】
図５によれば、リーダライタクライアント１ａは、例えば、リーダライタサーバ１ｂとの間で、CometのＨＴＴＰのセッションを確立しているとする。リーダライタクライアント１ａが、リーダライタサーバ１ｂからＵＲＬを受信した際（Ｓ２２）、例えば、Cometのリクエストを、リーダライタサーバ１ｂへ送信しておく。これに対し、リーダライタサーバ１ｂは、このCometのリクエストを保留状態とする。その後、リーダライタサーバ１ｂは、Ｓ４の処理をトリガとして、サイトページを含むCometのレスポンスを、リーダライタクライアント１ａへ送信することができる。これによって、リーダライタクライアント１ａも、そのサイトページをディスプレイに表示することができる。
【００４７】
図６は、図４のシステムにおける本発明のリーダライタクライアント及びリーダライタサーバの機能構成図である。
【００４８】
図６のリーダライタクライアント１ａは、識別子読取部１１、アドレス応答部１３及び識別子送信部１６ａを有する。
識別子読取部１１は、前述した図３のリーダライタ装置１の識別子読取部１１と全く同様である。
識別子送信部１６ａは、識別子読取部１１から出力されたカードＩＤを、通信インタフェース部１０３を介してリーダライタサーバ１ｂへ送信する。
アドレス応答部１３は、通信インタフェース部１０３ａを介してリーダライタサーバ１ｂからアドレスを受信し、そのアドレスを、非接触型リーダライタ部１０１を介して携帯端末２へ送信する。
【００４９】
尚、図６のリーダライタクライアント１ａは、Cometのページ表示部を更に含むことも好ましい。ページ表示部は、リーダライタサーバ１ｂからＵＲＬを受信した際、Cometのリクエストを、リーダライタサーバ１ｂへ送信しておく。これによって、リーダライタサーバ１ａは、後ほど、サイトページを含むCometのレスポンスを、リーダライタサーバ１ｂから受信することができる。受信されたサイトページは、ディスプレイに表示される。
【００５０】
図６のリーダライタサーバ１ｂは、アドレス生成部１２と、サイトページ公開部１４と、端末情報対応付け部１５と、識別子受信部１７ｂと、アドレス返信部１８ｂとを有する。
アドレス生成部１２、サイトページ公開部１４及び端末情報対応付け部１５は、前述した図３のリーダライタ装置１のアドレス生成部１２、サイトページ公開部１４及び端末情報対応付け部１５と全く同様である。
識別子受信部１７ｂは、通信インタフェース部１０３ｂを介して、リーダライタクライアント１ａからカードＩＤを受信する。受信したカードＩＤは、アドレス生成部１２へ出力される。
アドレス返信部１８ｂは、アドレス生成部１２によって生成されたアドレスを、リーダライタクライアント１ａへ返信する。
【００５１】
以上、詳細に説明したように、本発明の方法、装置及びプログラムによれば、既存の非接触型カードが内蔵された携帯端末であっても、リーダライタ装置が、当該携帯端末のカード識別子と端末情報とを対応付けることができる。
【００５２】
カード識別子と端末情報とを対応付けることによって、携帯端末の機種に応じたページコンテンツを、当該携帯端末へ送信することができる。例えば機種名から、表示可能な画面サイズやサイズ形式を特定することができる。また、サイネージ端末や携帯端末に表示されるページコンテンツとしては、商取引におけるクーポンや広告情報であってもよい。
【００５３】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５４】
１  リーダライタ装置、サイネージ端末
１ａ  リーダライタクライアント
１ｂ  リーダライタサーバ
１０１  非接触型リーダライタ部
１０２  ディスプレイ部
１０３  通信インタフェース部
１１  識別子読取部
１２  アドレス生成部
１３  アドレス応答部
１４  サイトページ公開部
１５  端末情報対応付け部
１６ａ  識別子送信部
１７ｂ  識別子受信部
１８ｂ  アドレス返信部
２  携帯端末
【図１】
2014090347.tif 000003
【図２】
2014090347.tif 000004
【図３】
2014090347.tif 000005
【図４】
2014090347.tif 000006
【図５】
2014090347.tif 000007
【図６】
2014090347.tif 000008